(57)【要約】電子コンテンツデリバリシステムは、ハブの周りのエンドユーザ装置からなるネットワークを用いる。各エンドユーザ装置は、格納機能を有する。コンテンツは、これらのエンドユーザ装置に分散されて格納され、分散格納されるコンテンツは、これらの装置のそれぞれにＰ２Ｐ形式で利用可能にされ、それにより、ダウンロード時間を短縮し、且つ、伝送誤りを少なくする。
2004533684.tif 000002
【特許請求の範囲】
【請求項１】
複数のエンドユーザがコンテンツ情報を受信することを可能にする方法であって、
上記コンテンツ情報をハブに供給する段階と、
各エンドユーザが有し、且つ、上記ハブに接続される各装置のピア・ツー・ピアネットワークを用いて、上記ハブの制御下で上記ネットワーク上で上記コンテンツ情報を分散格納する段階と、を含む方法。
【請求項２】
格納されたコンテンツ情報を、少なくとも１つの別の装置に供給するよう上記装置のうち特定の装置を遠隔制御する段階を含む請求項１記載の方法。
【請求項３】
上記ネットワーク上にて利用可能なコンテンツ情報を提示する電子コンテンツガイドを供給するサービスを含む請求項１記載の方法。
【請求項４】
複数のハブを用い、各ハブは、多数のピア・ツー・ピアネットワークのうちの各ピア・ツー・ピアネットワークに接続される請求項１記載の方法。
【請求項５】
上記装置を制御する段階を含む請求項１記載の方法。
【請求項６】
上記コンテンツ情報から選択するために、上記エンドユーザにユーザインタフェース（ＵＩ）を供給する段階を含む請求項１記載の方法。
【請求項７】
複数のエンドユーザがコンテンツ情報を受信することを可能にする方法において用いる装置であって、
上記方法は、
上記コンテンツ情報をハブに供給する段階と、
各エンドユーザが有し、且つ、上記ハブに接続される各装置のピア・ツー・ピアネットワークを用いて、上記ハブの制御下で上記ネットワーク上で上記コンテンツ情報を分散格納する段階と、を含み、
上記装置は、
上記コンテンツ情報の少なくとも一部を格納する記憶装置と、
上記ネットワークに格納されたコンテンツ情報を供給するために、上記装置の遠隔制御を、上記エンドユーザとは異なる関係者に供給する制御器と、を含む装置。
【請求項８】
ネットワークからのコンテンツ情報を格納し、上記ネットワークに上記コンテンツ情報を供給するための記憶装置と、
上記格納及び上記供給を遠隔制御するための制御モジュールと、を含む消費者電子装置。
【発明の詳細な説明】
【技術分野】
【０００１】
本発明は、例えば、ビデオ・オン・デマンド（ＶＯＤ）といったブロードバンドサービスを、インターネットといったデータネットワークを介して可能にするシステム及び方法に係る。
【背景技術】
【０００２】
ピア・ツー・ピアネットワークを介して高品質のＶＯＤを供給することは、潜在的なサービスプロバイダに大変な技術的及び組織的課題を課す。デジタルビデオファイルは、圧縮されていても、この目的には大きいと考えられている。例えば、ＭＰＥＧ２形式でのフルフィーチャ映画のサイズは、４ギガバイトより大きくなってしまうことがある。このデータ量を、ＤＳＬ、ケーブル、又は、Ｔ１接続を介して転送するには時間がかかってしまう場合がある。
【０００３】
［発明の概要］
ダウンロード時間が長くなると、例えば、ネットワーク輻輳、発信元及び宛先のハードウェア及び／又はソフトウェアの機能不良等といった様々な理由からデータ転送が失敗する確率が増加する。インターネットを介するデータ転送には、最終宛先に到達する前に幾つかのルータを経由する必要のあるデータパケットの伝送が関連する。パケットが次のルータに転送されるたびに、ホップが発生する。インターネットを介するビデオのダウンロード及びストリーミングは、データパケット当りのホップ数が増加するに従いより頻繁に発生する失敗により妨げられる。例えば、一部のデータが供給されなかったり、受信機械がフリーズしてしまったりする。
【０００４】
従って、発明者は、とりわけ、ビデオ・オン・デマンドサービスといったブロードバンドサービスを、ピア・ツー・ピアネットワーク環境において、ケーブルオペレータが可能にするネットワークアーキテクチャを提案する。このネットワークは、例えば、ケーブルオペレータローカル局であるサービスプロバイダハブ又はプロキシ間の高速で信頼度の高いデータネットワーク接続を利用する。エンドユーザは、各ハブの周りにピア・ツー・ピアネットワークコミュニティを形成する。ピア・ツー・ピアネットワークは、数個のホップ分しか離れていないハブからダウンロードされるコンテンツの分散格納を提供する。コンテンツは、コミュニティリソースを用いてローカルで格納され、また、バーチャル・プライベート・ウェブ・サービスを介してコミュニティに対し利用可能にされる。このサービスは、コンテンツ・ルックアップ、コンテンツ配給、接続設定、著作権保護、及び、他の機能を可能にする。
【０００５】
現行のピア・ツー・ピア（Ｐ２Ｐ）ソリューションは、低い又は不確定の（ビデオ）品質を有するコンテンツを供給し、タイムリーなコンテンツデリバリを保証することができず、また、コンテンツのための適切な著作権保護を有さない。本発明の１つの面は、例えば、ＶＯＤに対し、上述の欠点を解決する拡張性のあるサービスを提供する。本発明は更に、ＶＯＤサービスを、安価に且つ高品質で提供可能にするビジネスモデルを可能にする。低価格のサービスは、更に、ピア・ツー・ピアネットワーキングに一般的に関連付けられるコンテンツの著作権侵害を抑止し得る。
【０００６】
発明者は、今日のメディアサービスオペレータ（例えば、ケーブルオペレータ、衛星オペレータ）は、ブロードキャスト及び高帯域幅ネットワークを介してオーディオ／ビデオコンテンツへのアクセスを消費者に与えることを認識している。メディアサービスプロバイダは、ローカル記憶装置（例えば、ＨＤＤ）、高い処理能力、及び、ＩＰ通信機能を含む消費者セットトップボックス（ＳＴＢ）の特徴及びソフトウェアを決める。従って、拡張可能で且つ効率のよいコンテンツ格納及びルーティングを有するハイブリッドのパブリック／プライベートの高帯域幅ローカルネットワークを形成するには条件が存在する。本発明の１つの面によると、例えば、デジタルビデオであるコンテンツは、好適には安全なデリバリ機構を介してローカルネットワークオペレータ（ヘッド−エンド）によって受信される。次に、コンテンツ及び／又はその一部は、ローカルネットワーク内の複数のＳＴＢ、又は、格納能力を有する他のネットワークイネーブルされた装置に分配される。コンテンツは、ＳＴＢに格納され、且つ、ＶＯＤプロバイダによってホストされるルックアップサービスと共に登録される。コンテンツの格納は、サービスプロバイダによって制御される。コンテンツには、コンテンツプロバイダによる効果的な著作権管理を確実にする為に未承認のアクセスを阻止するよう暗号化するか又は電子透かしを入れることが可能である。ＶＯＤサービスのユーザは、プロバイダによりホストされるルックアップサービスから、コンテンツアイテム（例えば、映画）を選択することができる。ルックアップは、例えば、なじみのある電子番組ガイド（ＥＰＧ）形式で提示することが可能である。ユーザが視聴するためのコンテンツを選択した後、サービスは、コンテンツの場所に基づいて、ストリームオプションか又はダウンロードオプションを決定する。コンテンツ及び／又はその一部は、様々なＳＴＢにあるので、サービスは、現在のネットワークトラフィック負荷及び／又はルーティングパターンに基づいてコンテンツデリバリを最適化し得る。例えば、異なる章を、異なるＳＴＢから特定のＳＴＢにダウンロードし、それにより、例えば、ケーブルモデム、衛星リンク等といったネットワークアクセスの非対称（アップロード速度より高いダウンロード速度）の性質という問題を解決することができる。例えば、ケーブルは、そのアップロード帯域幅がダウンロード帯域幅より低いので、非対称ＩＰ環境である。ダウンロード（サーバからクライアント）速度は、一般的に、毎秒１００キロバイトであり、アップロード（クライアントからルータ又はサーバ）速度は、約毎秒１０キロバイトである。
【０００７】
章毎のダウンロードに関し、ユージン・シュテイン（Ｅｕｇｅｎｅ  Ｓｈｔｅｙｎ）に対し１９９９年１１月４日に出願された「ＰＡＲＴＩＴＩＯＮＩＮＧ  ＯＦ  ＭＰ３  ＣＯＮＴＥＮＴ  ＦＩＬＥ  ＦＯＲ  ＥＭＵＬＡＴＩＮＧ  ＳＴＲＥＡＭＩＮＧ」なる名称の米国特許出願番号０９／４３３，２５７（代理人整理番号ＰＨＡ２３，７８２）を参照されたい。この文書は、サーバ側でセグメントのシーケンスに分割される電子ファイルに関する。第１のセグメントは、ダウンロードされると再生される。第１のセグメントが再生される間に、第２のセグメントがダウンロード、且つ、バッファリングされ、それにより、第１のセグメントの再生が完了したときには第２のセグメントが利用可能となる。複数のセグメントのうち、現在のセグメントを再生する間に、次のセグメントがダウンロード且つバッファリングされる。この分割及び連続再生は、ファイルのストリーミングをエミュレートし、電子ファイルをダウンロードする際の待ち時間を最小限にすることが可能となる。
【０００８】
本発明の１つの面によると、エンドユーザの機器は、コンテンツデリバリ及び配給システムの一部にされる。サービス又はコンテンツプロバイダの制御下において、コンテンツは、ルックアップサービスを介してアクセス可能にされる。ユーザは、ストリーミングされるコンテンツのソース場所（ハブ、他のエンドユーザ）を知らない、また、知る必要がないことが好適である。本発明の利点は、とりわけ、ローカル入手可能性によってダウンロード距離が短く、データトラフィックがローカルネットワークに限定される点である。従って、本発明は、複数のエンドユーザが、コンテンツ情報を受信することを可能にする方法に係る。コンテンツ情報は、ハブに供給され、そして、各エンドユーザにある各装置のピア・ツー・ピアネットワークが用いられる。周知のように、ハブは、装置のクラスタの共通接続点であり、従って、ネットワークが形成される。これらの装置は、ハブの制御下における、コンテンツ情報のネットワークでの分散格納の為にハブに接続される。「可能にする」という表現は、特定のエンドユーザの上流にある関係者、コンテンツ情報をエンドユーザに渡すことに関する関係者を示す。
【発明を実施するための最良の形態】
【０００９】
本発明を以下に例示的に、且つ、添付図面を参照しながら説明する。
【００１０】
全図を通し、同一の参照番号は、同一の又は対応する特徴を示す。
【００１１】
図１は、コンテンツアイテム１０１が入力されるときの本発明のデータ処理システム１００を示す図である。コンテンツアイテム１０１は、外部コンテンツデータベース１０２から、例えば、衛星、インターネット、ケーブル、又は物理的デリバリサービス（図示せず）といったネットワーク接続１０５を介して、サービスエリアネットワーク（ＳＡＮ）１１０又は１１１により受信される。ＳＡＮ１１０のヘッドエンド制御システム１２０は、少なくとも１つのエンドユーザシステム１３０を選択し、接続１２５を試験し、そして、コンテンツアイテム１０１又はその一部を、ユーザエンドシステム１３０にルータ１１５を介してダウンロードする。この処理には、ホスト−インテリジェント・ダイナミック・ルーティング・アルゴリズムが用いられることが好適である。更なる詳細は、例えば、ｈｔｔｐ：／／ｗｗｗ．ｃｉｓｃｏ．ｃｏｍ／ｕｎｉｖｅｒｃｄ／ｃｃ／ｔｄ／ｄｏｃ／ｃｉｓｉｎｔｗｋ／ｉｔｏ＿ｄｏｃ／ｒｏｕｔｉｎｇ．ｈｔｍおけるルーティング・ベイシックスを参照されたい。デリバリされたコンテンツは、例えば、ＨＤＤといったローカル記憶装置１３５を用いてユーザエンドシステム１３０に格納される。コンテンツのダウンロードとコンテンツの確認が完了すると、制御システム１２０は、このエンドユーザ又は別のエンドユーザ１３８によるローカル記憶装置１３５内のコンテンツのアクセスに関するデータを、ルックアップサービス１５０を用いて登録する。或いは、コンテンツ１０１は、例えば、ＤＶＤプレイヤ１８０といったエンドユーザシステムにおけるソースを介してＳＡＮ１１０によって要求される。その場合、ソフトウェアコンポーネント１３１がデジタル所有権管理（ＤＲＭ）サービス１６０と通信して、適切な保護を確実にする。コンテンツに、配給の許可が与えられていると、ソフトウェアコンポーネント１３１は、ＤＶＤのコンテンツをローカルの記憶装置１３５に格納し、ルックアップサービス１５０を更新する。必要である場合には、ＤＲＭサービス１６０は、外部ソース（図示せず）から適切な配給許可を獲得する場合もある。同様の方法で、ＤＶＤのコンテンツは、ＳＡＮ１１０内において、例えば、システム１３８といった他のエンドユーザシステムにも配給できるよう利用可能にすることができる。
【００１２】
本発明と、ナップスター（Ｎａｐｓｔｅｒ）サービスといった周知のコンテンツ情報処理システムとの大きな違いは、ユーザは、ローカルの記憶装置１３５に格納される、且つ、例えば、データベース１０２から受信されたコンテンツを制御しない点である。ユーザは、システム１３０の保全性を妨害することなくローカル記憶装置１３５のコンテンツを動かす、削除する、又は、修正することができない。この例では、ローカル記憶装置１３５は、ＳＡＮ１１０上で分散された格納を介するコンテンツデリバリサービスを可能にするための、ＳＡＮ１１０のローカルコンテンツ配信システムに内在する部分である。別の面では、ローカル記憶装置１３５に格納されるコンテンツの品質は、システム１００により保証される。何故なら、システム１００は、データベース１０２といった承認されているソースを利用し、且つ、転送時及び転送後にコンテンツを確認するからである。
【００１３】
図２は、エンドユーザが再生のためのコンテンツを見つけ且つ選択した際に関連する幾つかの機能性を説明する本発明の図である。ユーザインタフェースソフトウェアコンポーネント２３７は、ユーザがルックアップサービス１５０にアクセスすることを可能にする。ルックアップサービスのコンテンツは、検索、ブラウズ、クエリー、ＥＰＧ（電子番組ガイド）、又は、例えば、システム１３０の表示モニタ２３９を用いる他のタイプのインタラクションを介して、提示することが可能である。システム１００は、例えば、プロファイル２６１といったユーザアクセス履歴を用いて、ＳＡＮ１１０上で利用可能なコンテンツを予め選択するか又は推薦することが好適である。プロファイル又はその一部は、例えば、ユーザエンド装置１３０及び／又はユーザプロファイルデータベース２６０に格納することが可能である。ヘッド−エンド制御システム１２０は、現在の及び／又は予測されるＳＡＮ１１０上のネットワークトラフィックに基づいて、ＳＡＮ１１０上の特定のコンテンツが利用可能となる時間枠も決定し得る。最短の予測デリバリ経路を有するコンテンツアイテムが、最初に提供／推奨されることが好適である。例えば、ローカル記憶装置１３５又は隣接するシステム１３８に、全体又はその一部が既に格納されている映画を、最初に提供することができる。
【００１４】
図３は、システム１３０のエンドユーザが、直ぐに再生する、又は、予定して再生するためのコンテンツアイテムを選択すると始動するシステム１００の更なる機能性を説明する図である。ソフトウェアコンポーネント３３８は、ルックアップサービス１５０とインタラクトして、選択されたコンテンツアイテム又はその一部のネットワーク上の場所に関する情報を入手する。このコンテンツアイテムの一部が、ＳＡＮ１１０内のエンドユーザシステム３３０のローカル記憶装置３３４にあると仮定する。ルックアップサービス１５０は、この情報をソフトウェアコンポーネント３３８に供給し、そして、ソフトウェアコンポーネント３３８は、スイッチ／ルータ１１５を介するエンドユーザシステム３３０からの、このコンテンツ一部のダウンロードを開始する。この処理には、ルータ−インテリジェント・ダイナミック・ルーティング・アルゴリズムが用いられることが好適である。コンテンツアップロード／ダウンロード率が、再生に十分ではない場合、制御システム１２０は、ソフトウェア３３８に、ここではエンドユーザシステム３９０のローカル記憶装置３９３である少なくとも１つの別のソースから、要求されるコンテンツの一部を得るよう命令することが可能である。ソフトウェア３３８は、ローカル記憶装置１３５上に既に利用可能なコンテンツによってコンテンツダウンロード待ち時間があたかもないようにすることができることが好適である。この文脈において、上述した米国特許出願番号０９／４３３，２５７（代理人整理番号ＰＨＡ２３，７８２）を参照されたい。制御システム１２０は更に、例えば、ルータ３１５であるシステム３３０に最も近いネットワーク上の場所において、アップロード／ダウンロード帯域幅率を修正することも可能にされる。ローカル記憶装置にダウンロードされるコンテンツは、ＳＡＮ１１０内の他のエンドユーザへの将来の分散のためにルックアップサービス１５０と共に登録され得る。
【００１５】
図４は、ローカル記憶装置１３５のハイブリッド構成を示す図である。ローカル記憶装置１３５は、例えば、上述したようにエンドユーザの機器を用いて、分散コンテンツ格納を確立するためにサービスプロバイダ又はコンテンツプロバイダの制御下にある部分４３６を含む。ローカル記憶装置１３５を収容する機器のユーザは、部分４３６にローカル格納されるコンテンツについて知らないことが好適である。ローカル記憶装置は更に、ユーザの制御下にあり、且つ、必ずしもサービスに露出される必要がない部分４３８も含む。部分４３６及び部分４３８は、ユーザが両方の部分におけるコンテンツへのアクセスを有する場合は、一体化されたユーザインタフェース４４０に表示されることが好適である。この文脈に関し、本願に参照として組込むユージン・シュテイン（Ｅｕｇｅｎｅ  Ｓｈｔｅｙｎ）及びルービィ・ロス（Ｒｕｂｙ  Ｒｏｔｈ）のために２０００年５月１１日に出願された「ＥＬＥＣＴＲＯＮＩＣ  ＣＯＮＴＥＮＴ  ＧＵＩＤＥ  ＲＥＮＤＥＲＳ  ＣＯＮＴＥＮＴ  ＲＥＳＯＵＲＣＥＳ  ＴＲＡＮＳＰＡＲＥＮＴ」なる名称の米国特許出願番号０９／５６８，９３２（代理人整理番号０００１０６）を参照されたい。この文書は、家庭用ネットワーク上のデータ管理システムに関する。このシステムは、電子番組ガイド（ＥＰＧ）を含むネットワーク上の様々なリソースにおいて利用可能なコンテンツ情報を記述するデータを収集する。データは、１つのメニュにまとめられ、それにより、ユーザが、コンテンツを、リソースに関係なく選択することを可能にする。
【００１６】
以下の文書も本願に参照として組込む。
【００１７】
−ユージン・シュテインの為に１９９９年４月１日に出願された「ＴＩＭＥ−  ＡＮＤ  ＬＯＣＡＴＩＯＮ−ＤＲＩＶＥＮ  ＰＥＲＳＯＮＡＬＩＺＥＤ  ＴＶ」なる名称の米国特許出願番号０９／２８３，５４５（代理人整理番号ＰＨＡ２３，６３３）。この文書は、ユーザがコンテンツ情報（例えば、ビデオ、オーディオ）にアクセスすることを可能にする方法に関する。この方法は、ユーザが、例えば、ブロードキャスト又はマルチキャストサービスに関する電子番組ガイドから、コンテンツ情報を選択することを可能にする。選択されたコンテンツ情報は、それがブロードキャスト又はマルチキャストされるときに記録される。この方法は、ユーザが、記録された、選択されたコンテンツ情報が、再生の為に利用可能となる複数の地理的に異なる場所から少なくとも特定の１つを予め選択することを可能にする。ユーザは更に、記録コンテンツ情報を、その特定の場所において再生するために利用可能にするために、時間フレームを特定することも可能にされることが好適である。コンテンツ情報は、例えば、サーバといった第１の記録システムにおいて記録されることが可能であり、その後に、記録された選択コンテンツ情報は、例えば、インターネット又はＡＯＬのようなプライベートネットワークといったネットワークを介して、第１の記録システムから、ユーザによって特定される場所にストリーミングされる。その特定された場所が、第２の記録システムを有する場合、第２の記録システムに記録している間はインターネット帯域幅利用率を低く維持するために、ストリーミングは、低帯域幅プロトコルを用いる。ユーザは、ユーザの選択に応答して予め記録された特定のブロードキャスト又はマルチキャスト番組の再生のための場所を予め指定する。ユーザは、その場所においてそのコンテンツが利用可能となる。例えば、ユーザは、特定の時間帯において、親戚の家にいる、特定のホテルにいる、特定の航空会社の特定のフライト中である、特定のバーにいる、特定のレストランにいる等ことを指定して、コンテンツがその場所で記録されることを要求することが可能である。このことは、これらの場所が上述のサービスのインフラストラクチャに組込まれることが必要となる。
【００１８】
−ラウル・マラート（Ｒａｏｕｌ  Ｍａｌｌａｒｔ）のために１９９９年９月２７日に出願された「ＳＣＡＬＡＢＬＥ  ＳＹＳＴＥＭ  ＦＯＲ  ＶＩＤＥＯ−ＯＮ−ＤＥＭＡＮＤ」なる名称の米国特許出願番号０９／４０６，６４２（代理人整理番号ＰＨＡ２３，７６８）。この文書は、ＮＶＯＤ（ニア・ビデオ・オン・デマンド）アーキテクチャにエミュレートされるＶＯＤサービスに関する。コンテンツ情報は、ＮＶＯＤアーキテクチャにおいてエンドユーザに対し利用可能にされる。コンテンツ情報の導入部分が、例えば、一晩ダウンロードすることにより、エンドユーザの機器に格納される。エンドユーザにおいて導入部分を再生する間に、ＮＶＯＤアーキテクチャで供給されるコンテンツ情報がエンドユーザの機器においてバッファリングされることが可能となる。この機器は、格納された導入部分の再生から、バッファリングされたコンテンツ情報の再生に切替わるよう制御される。
【００１９】
−グリート・ブルインスティーン（Ｇｒｅｅｔ  Ｂｒｕｙｎｓｔｅｅｎ）に対し２０００年３月８日に出願された「ＢＵＳＩＮＥＳＳ  ＭＯＤＥＬ  ＦＯＲ  ＬＥＡＳＩＮＧ  ＳＴＯＲＡＧＥ  ＳＰＡＣＥ  ＯＮ  Ａ  ＤＩＧＩＴＡＬ  ＲＥＣＯＲＤＥＲ」なる名称の米国特許出願番号０９／５２１，０５１（代理人整理番号ＵＳ００００５２）。この文書は、ＣＥ装置上の固定ＨＤＤの格納空間の利用可能な容量を、データネットワークを介して調節することに関する。消費者は、ＨＤＤの設定を遠隔制御する第三者サービスを介して、装置を更新することができる。
【００２０】
−本願に参考として組込む、チャンダ・ダラップ（Ｃｈａｎｄａ  Ｄｈａｒａｐ）に対し１９９９年８月１６日に出願された「ＳＥＭＡＮＴＩＣ  ＣＡＣＨＩＮＧ」なる名称の米国特許出願番号０９／３７４，６９４（代理人整理番号ＰＨＡ２３，７３７）。この文書は、電子コンテンツ情報の意味タイプに基づいて電子コンテンツ情報をキャッシュに入れることに関する。キャッシュ管理ストラテジは、異なる意味タイプに対し異なるキャッシングポリシーを用いることにより、各意味タイプに対しカスタマイズされる。ニュース及び天候といった動的情報を含むものと予期され得る意味タイプは、能動キャッシングポリシーを用いる。能動キャッシングポリシーでは、キャッシュメモリ内のコンテンツ情報は、キャッシュメモリ内にその情報があった時間に基づいて置換のために選択される。逆に、百科事典的な情報といった静的コンテンツ情報を含むものと予期され得る意味タイプは、例えば、ＬＲＵ（最長時間未使用）及びＬＦＵ（最低使用頻度）といった、キャッシュメモリ内に情報があった継続時間に略関係のない、より保守的なキャッシングストラテジを用いる。更に、通信された電子メールメッセージ、ニュースグループメッセージ等といった一部の意味タイプは、多数のストラテジの組合せであるキャッシングポリシーを用い、そのポリシーでは、コンテンツ情報は、動的キャッシングポリシーを有する能動キャッシュから、それほど動的ではないキャッシングポリシーを有するより静的なキャッシュへ進む。意味コンテンツタイプとそのタイプに関連付けられるキャッシングポリシーとの関係は、予め決定されるか、又は、ユーザによって直接決められるか、又は、少なくとも部分的に、コンテンツ情報とのユーザのインタラクションのユーザ履歴及びプロファイルに基づくことが可能である。
【００２１】
−ユージン・シュテインのために２００１年３月８日に出願された「ＡＣＴＩＶＩＴＹ  ＳＣＨＥＤＵＬＥ  ＣＯＮＴＲＯＬＳ  ＰＥＲＳＯＮＡＬＩＺＥＤ  ＥＬＥＣＴＲＯＮＩＣ  ＣＯＮＴＥＮＴ  ＧＵＩＤＥ」なる名称の米国特許出願番号０９／８０２，６１８（代理人整理番号ＵＳ０１８０２８）。この文書は、ユーザの電子カレンダ内の予定される活動及びユーザのプロファイルと宣言された関心に基づいて再生される電子コンテンツ情報及び時間枠を決定することに関する。こうすることにより、コンテンツの記録及びダウンロードが、ユーザのライフスタイルに基づいて自動的にされる。
【図面の簡単な説明】
【００２２】
【図１】本発明のサービスエリアネットワークを示すブロック図である。
【図２】本発明のサービスエリアネットワークにおける機能性を説明するブロック図である。
【図３】本発明のサービスエリアネットワークにおける機能性を説明するブロック図である。
【図４】エンドユーザのローカル記憶装置のハイブリッド構成を示すブロック図である。
【図１】
2004533684.tif 000003
【図２】
2004533684.tif 000004
【図３】
2004533684.tif 000005
【図４】
2004533684.tif 000006
【国際公開パンフレット】
2004533684.tif 000007
2004533684.tif 000008
2004533684.tif 000009
2004533684.tif 000010
2004533684.tif 000011
2004533684.tif 000012
2004533684.tif 000013
2004533684.tif 000014
2004533684.tif 000015
2004533684.tif 000016
2004533684.tif 000017
2004533684.tif 000018
2004533684.tif 000019
2004533684.tif 000020
【国際調査報告】
2004533684.tif 000021
2004533684.tif 000022
2004533684.tif 000023